(57)【要約】【課題】  容器内の内容物を吸上げるにしたがって内容物の残量を確認できるとともに、装飾に変化が見られ、面白みのある装飾性に優れた注出容器を提供すること。【解決手段】  注出容器として、容器本体上部に内容物を吸上げるポンプを装着し、容器本体内部に内容物の注出に伴って上昇する摺動底板を備えた注出容器であって、内容物として、不透明または半透明なものを収納し、容器本体の胴壁を透明の合成樹脂で形成し、胴壁に内容物と同色の装飾を施し、内容物の注出時に、容器本体内部の摺動底板の上昇により、容器外部から装飾を視認できるようにしたことを特徴とする。【選択図】  図１
2007062778.tif 000002
【特許請求の範囲】
【請求項１】
容器本体上部に内容物を吸上げるポンプを装着し、容器本体内部に内容物の注出に伴って上昇する摺動底板を備えた注出容器であって、
内容物として、不透明または半透明なものを収納し、
容器本体の胴壁を透明の合成樹脂で形成し、胴壁に内容物と同色の装飾を施し、
内容物の注出時に、容器本体内部の摺動底板の上昇により、容器外部から装飾を視認できるようにしたことを特徴とする注出容器。
【請求項２】
胴壁の装飾が、印刷により施されたことを特徴とする請求項１記載の注出容器。
【請求項３】
胴壁の装飾が、胴壁表面に取着した透明なラベルに印刷されていることを特徴とする請求項１記載の注出容器。
【発明の詳細な説明】
【技術分野】
【０００１】
本発明は、注出容器、とくに容器の胴壁に装飾を施したクリーム状物注出容器に関するものである。
【背景技術】
【０００２】
容器本体口部に内容物を吸上げるポンプを装着し、容器本体内部に内容物の注出に伴って上昇する摺動底板を備えた注出容器は、従来より知られている（例えば、特許文献１参照）。
【０００３】
上記の特許文献１記載の容器をはじめ一般の注出容器では、容器本体の胴壁に、転写フィルムなどによる印刷、直接印刷、または印刷を施したシュリンクフィルムなどを取着して、商品表示や模様などの装飾を施していた。
【特許文献１】実用新案登録第２５３５７５０号公報
【発明の開示】
【発明が解決しようとする課題】
【０００４】
しかしながら、上記の注出容器の胴部に施した装飾では、模様が固定され、装飾として変化が無く、面白みがなかった。
また、容器本体が不透明な場合、或いは着色された装飾が胴壁全面にわたって施されている場合には、内容物の注出状態を確認できなかった。
【０００５】
本発明は、上記問題を解決することを課題として、容器内の内容物を吸上げるにしたがって内容物の残量を確認できるとともに、装飾に変化が見られ、面白みのある装飾性に優れた注出容器を提供することを目的とする。
【課題を解決するための手段】
【０００６】
本発明は、上記の課題を解決するため、注出容器として、容器本体上部に内容物を吸上げるポンプを装着し、容器本体内部に内容物の注出に伴って上昇する摺動底板を備えた注出容器であって、内容物として、不透明または半透明なものを収納し、容器本体の胴壁を透明の合成樹脂で形成し、胴壁に内容物と同色の装飾を施し、内容物の注出時に、容器本体内部の摺動底板の上昇により、容器外部から装飾を視認できるようにしたことを特徴とする構成を採用する。
【０００７】
容器本体の胴部の装飾として、胴壁の装飾が、印刷により施されたことを特徴とする、または、胴壁の装飾が、胴壁表面に取着した透明なラベルに印刷されていることを特徴とする構成を採用する。
【発明の効果】
【０００８】
本発明の注出容器は、容器本体を透明の合成樹脂により形成し、胴壁に内容物と同色の装飾を施したので、容器外から内容物の残量を確認することができ、さらに、内容物を吸上げるごとに胴壁を通して装飾模様が徐々に見えてくるようにしているので、あたかも装飾模様が変化するような感覚をあたえることができた。
【発明を実施するための最良の形態】
【０００９】
次に、本発明注出容器の実施形態について、図面を参照して説明する。
図１において、Ａは容器本体、Ｂは容器本体Ａの胴部に施された印刷部、Ｃはポンプを容器本体Ａの口部に取着する取付キャップ、ｎは容器本体Ａ内に収納される不透明または半透明な内容物である。
【００１０】
容器本体Ａは、図１に示すように、胴壁１と摺動底板２とからなり、内部に不透明または半透明の内容物ｎを収納している。
胴壁１は、透明または少なくとも内容物の色彩を視認できる半透明の合成樹脂によって形成され、口部と肩部、底部が開放された円筒状の胴筒部３とを具えている。
摺動底板２は、側周にスカート状壁４が設けられ、胴筒部３の内周に摺動自在に嵌挿されるようになっている。
【００１１】
印刷部Ｂは、転写、印刷等により、説明表示、模様等を施した表示部Ｂａと、内容物ｎと同色の模様等の装飾部Ｂｂとが容器本体Ａの胴壁１の胴筒部３に施されている。
【００１２】
取付キャップＣは、容器本体Ａの口部に装着され、ポンプを支持し、容器本体Ａの口部に取着するものであればよい。
【００１３】
ポンプは、その上部に取着したノズルヘッド５を押下げ操作することにより、容器本体Ａより内容物ｎを吸上げるとともに、容器本体Ａ内を負圧とし、摺動底板２を上昇させ、ノズルヘッド５の吐出ノズル６から内容物ｎを吐出するものであればよく、その内部構造として、従来公知の様々なタイプのものが用いられる。
【００１４】
次に、本実施形態の使用態様と作用効果について説明する。
容器の使用にあたっては、ノズルヘッド５を押下げ操作すると、ポンプによって容器本体Ａ内から内容物ｎが吸上げられ、吐出ノズル６から吐出されるとともに、摺動底板２が上方に摺動される。
【００１５】
本実施形態の注出容器は、容器本体Ａの胴壁１が透明または半透明であるので、容器外から内容物ｎの残量を確認することができる。
また、内容物ｎの吸上げ前に、図２に示すように、印刷部Ｂの装飾部Ｂｂは、内容物ｎと同色であるために容器外から明確に視認することができないが、内容物ｎを吸上げるごとに容器本体Ａ内で摺動底板２が上昇することにより、図１に示すように、装飾部Ｂｂと同色の内容物ｎがなくなるので、内容物ｎの下方の装飾部Ｂｂは、容器外から明確に視認することができる。
したがって、内容物ｎの吸上げに応じて、装飾模様が出現するような視覚をあたえることができる。
【００１６】
また、容器本体Ａの摺動底板２の配色を内容物ｎと同色で形成することにより、内容物ｎを吸上げるごとに容器外から視認できる印刷部Ｂの装飾部Ｂｂを、摺動底板２から下方部とすることができる。
【００１７】
印刷部Ｂの装飾部Ｂｂの装飾に、キャラクターや物語、４コマ漫画などを描くことで、内容物ｎを吸上げるごとに、キャラクターや物語、４コマ漫画などが徐々に見えてくるようになり楽しむことができる。
【００１８】
上記実施形態では、容器本体Ａの胴筒部３に、直接印刷部Ｂを施したが、内容物ｎを吸上げるごとに容器外から内容物ｎと同色の装飾部が下方より段々視認できてくるものであればいいので、容器本体Ａの胴筒部３外周に、表面または裏面に転写、印刷等により、説明表示、模様等の表示部Ｂａと、内容物ｎと同色の模様等の装飾部Ｂｂとが施された透明な素材で形成されたラベルを、インサート成形や透明性の接着剤を塗布して取着するようにしても、印刷部Ｂと同様の作用効果を得ることができる。
【００１９】
上記実施形態では、内容物ｎを不透明としたが、半透明とし、それに合わせて印刷部またはラベルの装飾部を、内容物ｎと同色のものと異色のものとの２種類で装飾することで、内容物ｎの吸上げ前には、容器外から異色の装飾のみが明確に視認でき、内容物ｎを吸上げるにしたがって、内容物ｎと同色の装飾も明確に視認できるようになる。
したがって、内容物ｎの吸上げに応じて、装飾模様が変化するような視覚をあたえることができる。
【産業上の利用可能性】
【００２０】
本発明は、容器本体の胴壁を透明の合成樹脂により形成したことで、容器外から内容物の残量を確認することができ、化粧品、薬品、その他の容器として広く利用できる。
【００２１】
さらに、両面印刷したラベルを取着し、内容物を吸上げるごとに容器本体の胴壁に施した装飾部が容器本体の胴壁を通して徐々に見えてくることができるので、容器としての表示効果や、商品としてのプレミアム性を高めることができる。
【図面の簡単な説明】
【００２２】
【図１】本発明の注出容器の説明図である。
【図２】本発明の注出容器の内容物使用前の説明図である。
【符号の説明】
【００２３】
Ａ          容器本体
Ｂ          印刷部
Ｂａ        表示部
Ｂｂ        装飾部
Ｃ          取付キャップ
ｎ          内容物
１          胴壁
２          摺動底板
３          胴筒部
４          スカート状壁
５          ノズルヘッド
６          吐出ノズル
【図１】
2007062778.tif 000003
【図２】
2007062778.tif 000004